(57)【要約】【課題】            従来、並設された複数のソーラーパネルを一つの駆動源で同期して同一方向へ同量回転させ、複数のソーラーパネルの受光面方向を揃えることができるという設置構造はなかったという点である。【解決手段】        固定ベース上に立設される固定軸と、その固定軸に対して被冠されて前記固定ベースと平行方向に回転する回転筒と、その回転筒の上面閉塞面上に仰伏、傾動自在に固設されたソーラーパネルを有し、前記した機構を備えた複数のソーラーパネルを適宜間隔を隔てて並設し、前記した回転筒に無端の駆動手段を掛け回して連結し、その駆動手段を駆動源で可動させ、同期して前記複数のソーラーパネルを固定ベースと平行方向に、連結して回転させることとする。【選択図】          図１
2014086430.tif 000002
【特許請求の範囲】
【請求項１】
固定ベース上に立設される固定軸と、その固定軸に対して被冠されて前記固定ベースと平行方向に回転する回転筒と、その回転筒の上面閉塞面上に仰伏、傾動自在に固設されたソーラーパネルを有し、前記した機構を備えた複数のソーラーパネルを適宜間隔を隔てて並設し、前記した回転筒に無端の駆動手段を掛け回して連結し、その駆動手段を駆動源で可動させ、同期して前記複数のソーラーパネルを固定ベースと平行方向に、連結して回転させることを特徴とする複数のソーラーパネルの設置構造。
【請求項２】
前記した無端の駆動手段は、隣接するソーラーパネルの回転筒間に各々独立して掛け回され、ソーラーパネルが複数列に配置された場合でも同期回転を可能としていることを特徴とする請求項１に記載の複数のソーラーパネルの設置構造。
【請求項３】
前記したソーラーパネルの仰伏、傾動機構には、ソーラーパネルの前端にリンクバーの一端を連結し、そのリンクバーの他端は、カム板に形成されたガイド溝に沿って作動する直動ガイド手段と連結されていることを特徴とする請求項１または２に記載の複数のソーラーパネルの設置構造。
【請求項４】
前記したソーラーパネルの仰伏、傾動機構はソーラーパネルの端縁に長さ調整手段を備えたロープもしくはワイヤーの一端を連結し、そのロープもしくはワイヤーの他端は固定ベースに連結し、ソーラーパネルの回転に伴って、ロープもしくはワイヤーの引張力で行われることを特徴とする請求項１または２に記載の複数のソーラーパネルの設置構造。
【請求項５】
前記した駆動源はモーターとし、そのモーターは制御ボックスに格納されたマイコンにより、メモリーに記憶された設置地、設置年月日及び時間によって動作することを特徴とする請求項１から４のうち１項に記載の複数のソーラーパネルの設置構造。
【請求項６】
前記したカム板は固定ベース上に固着され、固定軸及び回転筒と同芯の弧を有する曲面板とされ、ガイド溝は、中心位置が高くなった略山形のものとされていることを特徴とする請求項３または５に記載の複数のソーラーパネルの設置構造。
【請求項７】
前記した無端の駆動手段はチェーン、ワイヤー、ベルトのうち１つまたは複数を組み合せ用いることを特徴とする請求項１から６のうち１項に記載の複数のソーラーパネルの設置構造。
【発明の詳細な説明】
【技術分野】
【０００１】
本発明はソーラーパネルの設置構造、それも複数のソーラーパネルを一つの面上に並設する設置構造に関する。
【背景技術】
【０００２】
従来より、広い地面や屋上等のスペース面に複数のソーラーパネルを並設し、太陽光を受光し、発電するシステムは知られている。この場合、できる限り、パネル面を太陽光の照射方向と直角に近くすることで、受光量を多くする機構が採用され、ソーラーパネルを仰伏させたり、回転させることが行なわれている。
【０００３】
しかしながら、従来、ソーラーパネルの回転動作は、各ソーラーパネルの組み立てた装置ごとに単独でなされるもので、各組み立て装置ごとに駆動源と、ギアやローラ等の回転稼動に必要な要素が必要となるもので、非常に経費がかかり、またメンテナンスも各々実行しなければならず、多大な手間と時間を要するものとなっている。
【先行技術文献】
【特許文献】
【０００４】
出願人は本願発明について、先行する技術文献を調査したが、格別に本願発明と関連し、類似すると思われる文献は発見できなかった。
【発明の概要】
【発明が解決しようとする課題】
【０００５】
本発明が解決しようとする問題点は、従来、並設された複数のソーラーパネルを一つの駆動源で同期して同一方向へ同量回転させ、複数のソーラーパネルの受光面方向を揃えることができるという設置構造はなかったという点である。
【課題を解決するための手段】
【０００６】
上記した問題点を解決するために、本発明に係る複数のソーラーパネルの設置構造は固定ベース上に立設される固定軸と、その固定軸に対して被冠されて前記固定ベースと平行方向に回転する回転筒と、その回転筒の上面閉塞面上に仰伏、傾動自在に固設されたソーラーパネルを有し、前記した機構を備えた複数のソーラーパネルを適宜間隔を隔てて並設し、前記した回転筒に無端の駆動手段を掛け回して連結し、その駆動手段を駆動源で可動させ、同期して前記複数のソーラーパネルを固定ベースと平行方向に、連結して回転させることを特徴としている。
【０００７】
また、本発明に係る複数のソーラーパネルの設置構造は前記した無端の駆動手段は、隣接するソーラーパネルの回転筒間に各々独立して掛け回され、ソーラーパネルが複数列に配置された場合でも同期回転を可能としていることを特徴とし、前記したソーラーパネルの仰伏、傾動機構には、ソーラーパネルの前端にリンクバーの一端を連結し、そのリンクバーの他端は、カム板に形成されたガイド溝に沿って作動する直動ガイド手段と連結されていることを特徴とし、前記したソーラーパネルの仰伏、傾動機構はソーラーパネルの端縁に長さ調整手段を備えたロープもしくはワイヤーの一端を連結し、そのロープもしくはワイヤーの他端は固定ベースに連結し、ソーラーパネルの回転に伴って、ロープもしくはワイヤーの引張力で行われることを特徴としている。
【０００８】
さらに、本発明に係る複数のソーラーパネルの設置構造は前記した駆動源はモータとし、そのモータは制御ボックスに格納されたマイコンにより、メモリーに記憶された設置地、設置年月日及び時間によって動作することを特徴とし、前記したカム板は固定ベース上に固着され、固定軸及び回転筒と同芯の弧を有する曲面板とされ、ガイド溝は、中心位置が高くなった略山形のものとされていることを特徴とし、前記した無端の駆動手段はチェーン、ワイヤー、ベルトのうち１つまたは複数を組み合せ用いることを特徴としている。
【発明の効果】
【０００９】
本発明に係る複数のソーラーパネルの設置構造は上記のように構成されている。そのため、太陽位置に対応して仰伏傾動するソーラーパネルを、単一の駆動源により、同期して回転させることができ、太陽光の受光面方向を揃え、効率の良い発電機能を得ることができることとなり、かかる回転機構に対する機械要素も少なく簡単なものとなって、必要経費や、メンテナンスの費用、時間を節減することができる。
【図面の簡単な説明】
【００１０】
【図１】本発明を実施した複数のソーラーパネルの設置構造を示す斜視図である。
【図２】単独のソーラーパネル組み立て装置を示す側面図である。
【図３】カム板を示す正面図である。
【発明を実施するための形態】
【００１１】
図面として示し、実施例で説明したように構成したことで実現した。
【実施例１】
【００１２】
次に、本発明の好ましい実施の一例を図面を参照して説明する。これらの図にあって８は固定ベースを示し、地表や屋上等設置目的場所に固定される。尚、固定ベース８は基準となるもので、他のソーラーパネル組み立て装置の固定ベース８ａ、８ａ‥よりも大きなものが使用されている。
【００１３】
前記したように８ａ、８ａ‥も固定ベースを示しており、前記固定ベース８と同様に目的設置場所の表面に固定され、この固定ベース８、８ａ、８ａ‥はソーラーパネルの回転スペースを確保できるように適宜間隔を隔てて並設されるものとなっている。
【００１４】
この固定ベース８、８ａ‥の上面には固定軸３が固設されており、この固定軸３の周壁面と固定ベース８、８ａ‥は９０度ピッチで補強ブラケット３ａ、３ａ‥によって構造強化が図られている。
【００１５】
この固定軸３には上面を蓋体２ａで閉塞された回転筒２が被冠されるように設けられている。この回転筒２の下端は補強ブラケット３ａ、３ａ‥との間には回転を許容するための隙間が形成される。
【００１６】
回転筒２の蓋体２ａ上には支持体１７が固設され、その支持体１７の頂部で、ソーラーパネル１の枠体裏面略中央に設けられたブラケット１ａがピンにより枢支されており、この枢支によってソーラーパネル１は回転筒２に対し仰伏傾動を可能とされている。１３は、この仰伏傾動動作のブレーキ及びロック機構（パッド）であり、１４は半リング板のブレーキシューでソーラーパネル１の枠体裏面に設けられ、一部が前記ブレーキ及びロック機構１３と対応している。
【００１７】
また、基準となる固定ベース８上には、固定軸３とともにモータスタンドを兼ねた制御ボックス１６が設けられており、この制御ボックス１６上に駆動源となるモータ７が設けられ、そのモータ軸は制御ボックス１６内に突出されている。このモータ軸には駆動スプロケット５が取り付けられ、その駆動スプロケット５には駆動チェーン６が掛け回されている。
【００１８】
一方、前記した回転筒２の下端寄りには二つの従動スプロケット４、４が上下方向に設けられているもので、前記した駆動チェーン６はこの二つの従動スプロケット４のうち下段側のものに掛け回され、モータ７の駆動回転力を回転筒２に伝達するものとなっている。
【００１９】
また、前記駆動チェーン６が掛け回された回転筒２を有するソーラーパネル１の組み立て装置と隣接するソーラーパネル１の組み立て装置における回転筒２にも前記と同様に二つの従動スプロケット４、４が設けられ、この従動スプロケット４、４のうち上段のものと、前記駆動チェーン６が掛け回された基準の回転筒２における上段の従動スプロケット間には独立した連結チェーン１５が掛け回された、基準となる回転筒２の回転力が伝達される。この回転力の伝達によって、各々のソーラーパネル１、１‥は同期して同方向へ同量の回転をすることとなる。尚、この連結チェーン１５による回転力の伝達は、各々の並設されたソーラーパネルの組み立て装置における回転筒２、２‥間で独立のものを使用し、従動スプロケット４、４の上下位置を交互に用いながら行われる。
【００２０】
また、前記した回転筒２の、ソーラーパネル１の仰伏傾動方向の一端縁と対応する外側面にはガイドレール１１ａが固定されている。そして、このガイドレール１１ａに沿って跨ぎ挟んで、上下動する直動ガイドスライダー１１が設けられ、この直動ガイドスライダー１１の前面には連動桿１２ａが設けられている。
【００２１】
この連動桿１２ａはカム板９のガイド溝９ａを貫通してカム板９の前方へ突出されているもので、この連動桿１２ａのガイド溝９ａを挟む個所は一対の追従ローラ１２が設けられ、連動桿１２ａはカム板９のガイド溝９ａに沿い、回転筒２の回転に伴なって移動する。また、この連動桿１２ａの先端とソーラーパネル１の枠体の下面端部寄りのブラケット１ｂ間にはリンクバー１０が枢支接続され、このリンクバー１０の作用でソーラーパネルを仰伏傾動させることとなる。
【００２２】
前記したカム板９は固定軸３や回転筒２と同芯状の円弧を有する曲面板となっており、ガイド溝９ａは中央位置を高い位置とした山形状となっており、その中央位置で太陽の最も高くなる位置と対応してソーラーパネル１を最も水平に近く仰伏傾動させることとなる。尚、このガイド溝９ａの形状も設置地により変更することも可能である。
【００２３】
また、列設されるソーラーパネル組み立て装置が、横並びの端部と縦列となる場合、対応するソーラーパネル組み立て装置におけるカム板９には連結チェーン１５が出入貫通するための透孔９ｂが形成される。
【００２４】
さらに、前記した制御ボックス１６内にはメモリーやタイマーを内蔵したマイコン（図示せず）が収納されており、そのマイコンによってモータ７の駆動が制御される。この制御は、モータの回転速度をはじめ、稼動時間、間欠時間を含め、設置地、年月日、日の出、日の入りの時間等をカレンダー機能を用いて行われる。始点と終点を定めることで、一日分の稼動が終了後、翌日のスタート点へのリセットも可能とされる。
【００２５】
続いて、本実施例における複数のソーラーパネルの設置構造の作動について説明する。マイコンの制御によってモータ７が稼働すると、駆動スプロケット５がモータ軸とともに回転し、その駆動スプロケット５と回転筒２に設けられた従動スプロケット４に掛け回された駆動チューン６の作用によって、基準となる回転筒２が回転する。この回転により、連結チェーン１５、１５‥で連結された、各々のソーラーパネル組み立て装置の回転筒２、２‥が同期して同方向に同量づつ回転する。
【００２６】
前記した回転筒２、２‥の回転に伴なって連動桿１２ａはカム板９のガイド溝９ａに沿って移動し、その連動桿１２ａと連結されているリンクバー１０がソーラーパネル１を持ち上げ、また、引き下げてソーラーパネル１に仰伏傾動動作を行なわせる。この際、連動桿１２ａが接続されている直動ガイドスライダー１１はガイドレール１１ａに沿ってスライドし、連動桿１２ａ及びリンクバー１０にぶれの無い動作を行なわせる。
【００２７】
また、ソーラーパネル１の仰伏、傾動は前記した機構に限らず、一端をソーラーパネル１の端部に連結し、他端を固定ベース８、８ａに連結したロープもしくはワイヤーを用い、ソーラーパネル１の回転に伴ってこのロープもしくはワイヤーの引張力によって行う構成とすることもできる。
【００２８】
即ち、本実施例によると、複数のソーラーパネル１、１‥は同期に同方向に同量回転するとともに仰伏傾動するので、複数のソーラーパネル１、１‥は常に一体的に太陽を効率的に追尾することとなり、無駄のない受光そして発電作用を行なうこととなる。
【産業上の利用可能性】
【００２９】
本実施例に係る複数のソーラーパネルの設置構造は上記のように構成されている。本実施例では無端の駆動手段としてチェーンを使用しているが、これはワイヤー、ベルトによって代替使用することもできる。
【符号の説明】
【００３０】
１    ソーラーパネル
１ａ  ブラケット
１ｂ  ブラケット
２    回転筒
３    固定軸
３ａ  補強ブラケット
４    従動スプロケット
５    駆動スプロケット
６    駆動チェーン
７    モータ
８    固定ベース
８ａ  固定ベース
９    カム板
９ａ  ガイド溝
９ｂ  透孔
１０  リンクバー
１１  直動ガイドスライダー
１１ａ  ガイドレール
１２  追従ローラ
１２ａ  連動桿
１３  ブレーキ及びロック機構
１４  ブレーキシュー
１５  連結チェーン
１６  制御ボックス
１７  支持体
【図１】
2014086430.tif 000003
【図２】
2014086430.tif 000004
【図３】
2014086430.tif 000005